(57)【要約】【課題】被写体までの距離とは無関係に、内蔵ストロボからの光を確実にワイヤレススレーブストロボに感知させてワイヤレススレーブストロボを自動発光させることができるワイヤレスストロボ付きカメラの提供を目的としている。【解決手段】本発明は、内蔵ストロボと、内蔵ストロボからの光を感知して自動発光するワイヤレスストロボ１１とを備えたワイヤレスストロボ付きカメラにおいて、前記内蔵ストロボからの光を、ワイヤレスストロボ１１によって感知させるように反射させる反射部９を備えていることを特徴とする。【選択図】  図１
2004279869.tif 000002
【特許請求の範囲】
【請求項１】
内蔵ストロボと、内蔵ストロボからの光を感知して自動発光するワイヤレスストロボとを備えたワイヤレスストロボ付きカメラにおいて、
前記内蔵ストロボからの光を、前記ワイヤレスストロボによって感知させるように反射させる反射部を備えていることを特徴とするワイヤレスストロボ付きカメラ。
【請求項２】
前記反射部は、反射率が高い白色系の反射面として形成されていることを特徴とする請求項１に記載のワイヤレスストロボ付きカメラ。
【請求項３】
ファインダを更に備え、ファインダから見える位置に前記反射部が設けられていないことを特徴とする請求項１または請求項２のいずれか１項に記載のワイヤレスストロボ付きカメラ。
【請求項４】
前記反射部は、撮影用のレンズ部の周囲に配置された遮光用のフードに設けられていることを特徴とする請求項１ないし請求項３のいずれか１項に記載のワイヤレスストロボ付きカメラ。
【請求項５】
前記フードは、前記レンズ部の外周から退避する収納状態と、レンズ部の周囲で展開される使用状態とに形状変形できることを特徴とする請求項４に記載のワイヤレスストロボ付きカメラ。
【発明の詳細な説明】
【０００１】
【発明の属する技術分野】
本発明は、カメラに係り、特に内蔵ストロボと共にワイヤレスストロボを有するカメラに関する。
【０００２】
【従来の技術】
通常、カメラには、ストロボが内蔵されているが、そのストロボだけでは光量が不足する場合がある。例えば、遠距離のストロボ撮影には、近くの被写体に対しては光が届くが、遠くの被写体に対しては光量が十分でなく、暗く写ってしまう。また、水中撮影などの場合、空気に比べて普通の水では、光の透過率が低下することから、ストロボの光量が不足してしまい、暗く写ってしまう。
【０００３】
そのため、従来にあっては、カメラに外部ストロボを設置して、内蔵ストロボの光量を補うようにしている。このような外部ストロボの中には、カメラと電気的に接続されることなく内蔵ストロボと光学的に連動するワイヤレススレーブストロボがある（例えば特許文献１）。
【０００４】
ワイヤレススレーブストロボは、内蔵ストロボが発光した際にその光を感知して、自動発光するようになっている。被写体が近くにある場合には、内蔵ストロボからの光が被写体に反射し、その被写体からの反射光を受けてワイヤレススレーブストロボが自動発光する。
【０００５】
【特許文献１】
特開２００１−１５４２４５号公報
【０００６】
【発明が解決しようとする課題】
ところが、ワイヤレススレーブストロボは、被写体が遠くにある場合、内蔵ストロボからの反射光が弱いために、自動発光できなくなる場合がある。
【０００７】
図７には、このような問題が内在するワイヤレスストロボ付きの従来のカメラが示されている。図示のように、カメラはカメラ本体１を備えており、カメラ本体１には内蔵ストロボ発光部８とスレーブストロボ１１とが設けられている。
【０００８】
撮影する画像が暗い場合、内蔵ストロボ８が発光するが、その反射光１０は、反射しても受光センサ１３には入射しない。また、仮にカメラのレンズ部２にフードが取り付けられていても、このフードで光を反射させて受光センサ１３に入射させることは困難である。被写体４がカメラ本体１から離れた場所にある場合や、被写体が水中にある場合などにおいては、内蔵ストロボ８からの光が被写体４で反射することは殆ど無く、その結果、スレーブストロボ１１を発光させることができない。
【０００９】
本発明は、前記事状に着目してなされたものであり、その目的とするところは、被写体までの距離とは無関係に、内蔵ストロボからの光を確実にワイヤレススレーブストロボに感知させてワイヤレススレーブストロボを自動発光させることができるワイヤレスストロボ付きカメラを提供することにある。
【００１０】
【課題を解決するための手段】
前記課題を解決するため、請求項１に記載された発明は、内蔵ストロボと、内蔵ストロボからの光を感知して自動発光するワイヤレスストロボとを備えたワイヤレスストロボ付きカメラにおいて、前記内蔵ストロボからの光を、前記ワイヤレスストロボによって感知させるように反射させる反射部を備えていることを特徴とする。
【００１１】
この請求項１に記載された発明によれば、被写体までの距離とは無関係に、内蔵ストロボからの光を確実にワイヤレススレーブストロボに感知させてワイヤレススレーブストロボを自動発光させることができる。
【００１２】
また、請求項２に記載された発明は、請求項１に記載された発明において、前記反射部は、反射率が高い白色系の反射面として形成されていることを特徴とする。
【００１３】
この請求項２に記載された発明によれば、請求項１に記載された発明と同様の作用効果が得られるとともに、内蔵ストロボからの光をワイヤレスストロボに確実に感知させることができる。
【００１４】
また、請求項３に記載された発明は、請求項１または請求項２に記載された発明において、ファインダを更に備え、ファインダから見える位置に前記反射部が設けられていないことを特徴とする。
【００１５】
この請求項３に記載された発明によれば、請求項１または請求項２に記載された発明と同様の作用効果が得られるとともに、ファインダから見える像にハレーションが発生せず、クリアーな像が見える。
【００１６】
また、請求項４に記載された発明は、請求項１ないし請求項３のいずれか１項に記載の発明において、前記反射部は、撮影用のレンズ部の周囲に配置された遮光用のフードに設けられていることを特徴とする。
【００１７】
この請求項４に記載された発明によれば、請求項１ないし請求項３のいずれか１項に記載の発明と同様の作用効果が得られるとともに、内蔵ストロボからの光をワイヤレスストロボへと簡単且つ効率的に反射させることができる。
【００１８】
また、請求項５に記載された発明は、請求項４に記載の発明において、前記フードは、前記レンズ部の外周から退避する収納状態と、レンズ部の周囲で展開される使用状態とに形状変形できることを特徴とする。
【００１９】
この請求項５に記載された発明によれば、請求項４に記載の発明と同様の作用効果が得られるとともに、フードをカメラから取り外さなくても携帯性および機能性の両方に支障を来たさない。
【００２０】
【発明の実施の形態】
図１および図２には、本発明の一実施形態に係るカメラが示されている。このカメラは、カメラ本体１と、撮影用のレンズ部２とを備えている。レンズ部２には、フレア防止（ハレーション防止）のためのフード３が取り付けられている。このフード３は、カメラ本体１に固定されていても、あるいは、脱着可能であっても良い。また、フード３には、光を反射するための（光を反射し易い）反射部９が設けられている。反射部９は、光の反射率が高い特性を有しており、例えば、白色系の色を有し、あるいは、表面が光沢を成している。
【００２１】
カメラ本体１には、撮影像を確認するためのファインダ７と、暗い時の撮影のための内蔵ストロボ発光部８とが設けられている。前記反射部９は、ファインダ７から見える位置に設けられていない。また、カメラ本体１には、外部ストロボが取り付け可能になっている（したがって、ユーザにとって非常に便利である）。本実施形態では、カメラ本体１にスレーブストロボ１１が取り付けられている。スレーブストロボ１１には、スレーブストロボ発光部１２と、発光センサ１３とが設けられている。スレーブストロボ１１は、カメラ本体１の内蔵ストロボ発光部８が発光した時のその光がスレーブストロボ１１の発光センサ１３に入射することにより、内蔵ストロボが発光したと認識し、それをトリガとしてスレーブストロボ発光部１２が発光する。
【００２２】
本実施形態では、光の反射率が高い反射部９が設けられているため、内蔵ストロボ発光部８からの光１０は、反射部９によって反射され、受光センサ１３に入射する。その結果、スレーブストロボ１１は発光することができる。
【００２３】
以上のように、本実施形態のカメラは、内蔵ストロボからの光をワイヤレスストロボ１１によって感知させるように反射させる反射部９を備えている。そのため、被写体までの距離とは無関係に、内蔵ストロボからの光を確実にワイヤレススレーブストロボ１１に感知させてワイヤレススレーブストロボ１１を自動発光させることができる。
【００２４】
また、本実施形態において、反射部９は、反射率が高い白色系の反射面として形成されている。そのため、内蔵ストロボからの光をワイヤレスストロボ１１に確実に感知させることができる。
【００２５】
また、本実施形態においては、ファインダ７から見える位置に反射部９が設けられていない。したがって、ファインダ７から見える像にハレーションが発生せず、クリアーな像が見える。特に、本実施形態のようにフード３に反射率が高い反射部９を設けると、夏の昼間などの明るい状況下では、フード３の反射部９に太陽光線が当たり、ファインダ７で被写体を見る時にハレーションを起こしてファインダ７からの像が見えにくくなるが、ファインダ７から見える位置に反射部９が設けられていなければ、そのような問題もなくなる。
【００２６】
また、本実施形態において、反射部９は、撮影用のレンズ部２の周囲に配置された遮光用のフード３に設けられている。そのため、内蔵ストロボからの光をワイヤレスストロボ１１へと簡単且つ効率的に反射させることができる。
【００２７】
なお、本実施形態において、反射部９は、フード３の一部にしか設けられていないが、フード３の全面に設けられていても構わない。また、本実施形態では、フード３に反射部９が設けられているが、フード３以外の部位に反射部９が設けられていても良い。要は、内蔵ストロボ発光部８からの光１０を反射部９によって受光センサ１３に入射させることができれば、反射部９の配置部位は任意である（例えば、レンズ部２の外周や、カメラ本体１から突出するグリップ部であっても構わない）。
【００２８】
図３および図４には、前述した実施形態の第１の変形例が示されている。図示のように、このフード３は、持ち運びが簡単な（レンズ部２の外周から退避する）図３に示される収納状態と、レンズ部２の周囲で展開される使用状態とに形状変形できるようになっている。この場合、フード３は、開口しており、レンズ部２に取り付いている。図４に示されるように、被写体４に対して太陽５は逆光の位置にあり、太陽５からの光（太陽光線）６は、フード３によって遮られて、撮影時のフレア現象やゴースト現象を引き起こすことが無い。
【００２９】
フード３は、その材質がゴム系であるため、図３に示される収納状態から図４に示される使用状態へと容易に形状変形することができる。
【００３０】
図５および図６には、前述した実施形態の第２の変形例が示されている。図示のように、このフード３は、樹脂によって形成されており、カメラ本体１に設けられた筒状のカバー１４と係合している。また、フード３は、カバー１４によって外周に保持されることにより、図中左右方向に移動することができる。
【００３１】
図６には、フード３の使用状態が示されている。フード３は、被写体４側に移動している。これにより、太陽５からの太陽光線６は、フード３によって遮られ、レンズ部２の中には進入しない。したがって、撮影時のフレア現象やゴースト現象が発生しない。
【００３２】
従来においては、フード３がカメラに取り外し可能である場合、フード３を使用する時にフード３をカメラに取り付け、一方、フード３を使用しない時にはフード３をカメラから取り外しているが、フード３を使用しない時には、フード３は無用の長物となってしまい、邪魔なものとなってしまう。しかしながら、第１および第２の変形例のように、フード３が使用状態と収納状態とに形状変形可能であれば、フード３をカメラから取り外さなくても携帯性および機能性の両方に支障を来たさない。すなわち、フード３を使用しない時にフード３をカメラ本体１に収納することができるため、カメラを持ち運びする際にはフード３を収納状態として携帯性を向上させることができる。また、第１の変形例の場合、フード３を収納した状態で反射部９がフード３の裏面に位置することとなるため、収納状態で反射部９が外観上見えず、デザイン的にも違和感が発生しない。
【００３３】
【発明の効果】
請求項１に記載された発明によれば、被写体までの距離とは無関係に、内蔵ストロボからの光を確実にワイヤレススレーブストロボに感知させてワイヤレススレーブストロボを自動発光させることができる。
【００３４】
請求項２に記載された発明によれば、請求項１に記載された発明と同様の作用効果が得られるとともに、内蔵ストロボからの光をワイヤレスストロボに確実に感知させることができる。
【００３５】
請求項３に記載された発明によれば、請求項１または請求項２に記載された発明と同様の作用効果が得られるとともに、ファインダから見える像にハレーションが発生せず、クリアーな像が見える。
【００３６】
請求項４に記載された発明によれば、請求項１ないし請求項３のいずれか１項に記載の発明と同様の作用効果が得られるとともに、内蔵ストロボからの光をワイヤレスストロボへと簡単且つ効率的に反射させることができる。
【００３７】
請求項５に記載された発明によれば、請求項４に記載の発明と同様の作用効果が得られるとともに、フードをカメラから取り外さなくても携帯性および機能性の両方に支障を来たさない。
【図面の簡単な説明】
【図１】本発明の一実施形態に係るカメラの斜視図である。
【図２】図１のカメラの側面図である。
【図３】第１の変形例に係るカメラであって、フードが収納状態に位置された断面図である。
【図４】第１の変形例に係るカメラであって、フードが使用状態に位置された断面図である。
【図５】第２の変形例に係るカメラであって、フードが収納状態に位置された断面図である。
【図６】第２の変形例に係るカメラであって、フードが使用状態に位置された断面図である。
【図７】従来のカメラの概略側面図である。
【符号の説明】
３    フード
７    ファインダ
８    内蔵ストロボ発光部
９    反射部
１１  ワイヤレスストロボ
【図１】
2004279869.tif 000003
【図２】
2004279869.tif 000004
【図３】
2004279869.tif 000005
【図４】
2004279869.tif 000006
【図５】
2004279869.tif 000007
【図６】
2004279869.tif 000008
【図７】
2004279869.tif 000009